(57)【特許請求の範囲】
【請求項１】
複数の色光をそれぞれ変調する複数の光変調装置と、前記光変調装置を冷却する冷却装置とを備えたプロジェクターであって、
前記冷却装置は、
空気を吸入して吐出する冷却ファンと、
前記冷却ファンからの空気を前記複数の光変調装置に導くダクトとを備え、
前記ダクトは、
２つの前記光変調装置の側方から順に空気を流通させる第１ダクト部と、
前記第１ダクト部に連通し、前記第１ダクト部を流通する空気の一部を他の前記光変調装置に導く第２ダクト部とを備える
ことを特徴とするプロジェクター。
【請求項２】
請求項１に記載のプロジェクターにおいて、
前記複数の光変調装置にて変調された各色光が入射する複数の光入射面を有し、前記各色光を合成する色合成光学装置を備え、
前記第２ダクト部は、
前記複数の光入射面に交差する端面に対向するように設けられている
ことを特徴とするプロジェクター。
【請求項３】
請求項１または請求項２に記載のプロジェクターにおいて、
前記複数の光変調装置は、
赤色光を変調する赤側光変調装置と、緑色光を変調する緑側光変調装置と、青色光を変調する青側光変調装置とを備え、
前記第１ダクト部は、
前記緑側光変調装置及び前記青側光変調装置に空気を流通させ、
前記第２ダクト部は、
前記赤側光変調装置に空気を導く
ことを特徴とするプロジェクター。
【請求項４】
請求項３に記載のプロジェクターにおいて、
前記緑側光変調装置及び前記青側光変調装置は、
前記第１ダクト部における流路上流側から前記青側光変調装置、前記緑側光変調装置の順に配設されている
ことを特徴とするプロジェクター。
【請求項５】
請求項１から請求項４のいずれかに記載のプロジェクターにおいて、
前記第２ダクト部は、
前記第２ダクト部における流路下流側が分岐し、前記他の光変調装置に空気を導く第１分岐ダクト部、及び前記２つの光変調装置のうち前記第１ダクト部における流路下流側の前記光変調装置に空気を導く第２分岐ダクト部を備える
ことを特徴とするプロジェクター。
【請求項６】
請求項１から請求項５のいずれかに記載のプロジェクターにおいて、
前記２つの光変調装置のうち前記第１ダクト部における流路下流側の前記光変調装置と前記他の光変調装置とを区画する遮蔽板を備える
ことを特徴とするプロジェクター。
【請求項７】
請求項１から請求項５のいずれかに記載のプロジェクターにおいて、
前記第２ダクト部は、
前記第２ダクト部を介して前記他の光変調装置に送風される空気の流通方向が前記第１ダクト部を介して前記２つの光変調装置を流通した後の空気の流通方向に交差するように設けられている
ことを特徴とするプロジェクター。
【請求項８】
請求項１から請求項７のいずれかに記載のプロジェクターにおいて、
前記第２ダクト部における前記第１ダクト部に連通する連通口は、
当該プロジェクターの厚み方向からの平面視で、前記２つの光変調装置のうち前記第１ダクト部における流路上流側の前記光変調装置に一部が重なり合うように形成されている
ことを特徴とするプロジェクター。
【発明の詳細な説明】
【技術分野】
【０００１】
本発明は、プロジェクターに関する。
【背景技術】
【０００２】
従来、Ｒ（赤）、Ｇ（緑）、Ｂ（青）の３つの色光を画像情報に応じて変調する液晶パネル等の３つの光変調装置と、これら光変調装置を冷却する冷却装置とを備えたプロジェクターが知られている（例えば、特許文献１参照）。
特許文献１に記載のプロジェクターでは、当該プロジェクターの厚み寸法を低減させるために、以下に示す冷却装置を採用している。
すなわち、冷却装置は、投射レンズの側方に配設されたシロッコファンと、シロッコファンから吐出された空気を各光変調装置に導くダクト（流路）とで構成されている。
ダクトは、各光変調装置で変調された各色光を合成するクロスダイクロイックプリズムにおける３つの光入射面を平面視で囲むＵ字状に構成されている。
そして、シロッコファンから吐出された空気は、ダクト内部を流通し、光変調装置の側方から隣接する順に流通し、３つの光変調装置を冷却する。
【先行技術文献】
【特許文献】
【０００３】
【特許文献１】特開２００１−２８１６１３号公報
【発明の概要】
【発明が解決しようとする課題】
【０００４】
しかしながら、特許文献１に記載の冷却装置では、ダクトが曲折されているとともに、ダクト内部に光変調装置が配設されることで流路面積も小さくなっているので、ダクトでの圧力損失が大きい構造となっている。すなわち、ダクト内部の静圧が高いので、シロッコファンからダクト内部に吐出される空気の風量を十分に確保することができない。
特に、３つの光変調装置のうちダクトにおける流路最下流に配設される光変調装置には、送風される空気の風量が少なくなり、空気の温度が上昇してしまうため、当該光変調装置の温度低減が図れない。
したがって、３つの光変調装置を効果的に冷却することができない、という問題がある。
【０００５】
本発明の目的は、光変調装置を効果的に冷却できるプロジェクターを提供することにある。
【課題を解決するための手段】
【０００６】
本発明のプロジェクターは、複数の色光をそれぞれ変調する複数の光変調装置と、前記光変調装置を冷却する冷却装置とを備えたプロジェクターであって、前記冷却装置は、空気を吸入して吐出する冷却ファンと、前記冷却ファンからの空気を前記複数の光変調装置に導くダクトとを備え、前記ダクトは、２つの前記光変調装置の側方から順に空気を流通させる第１ダクト部と、前記第１ダクト部に連通し、前記第１ダクト部を流通する空気の一部を他の前記光変調装置に導く第２ダクト部とを備えることを特徴とする。
【０００７】
本発明では、複数の光変調装置に空気を導くダクトは、２つの光変調装置の側方から順に空気を流通させる第１ダクト部を備える。
このことにより、従来のダクトと比較して、第１ダクト部の流路長さを短くできるとともに、第１ダクト部に配設される光変調装置の数も少なくなるので、第１ダクト部内部の静圧を低下させることができる。このため、冷却ファンから第１ダクト部に吐出される空気の風量を十分に確保することができ、第１ダクト部内部を流通する空気により２つの光変調装置を効果的に冷却できる。
【０００８】
また、ダクトは、上述した第１ダクト部の他、第１ダクト部から分岐され、第１ダクト部を流通する空気の一部を他の光変調装置に導く第２ダクト部を備える。
このことにより、第２ダクト部を介して外部の空気を他の光変調装置に直接導入できるので、他の光変調装置も効果的に冷却できる。
以上のように、第１ダクト部及び第２ダクト部に空気を流通させることで、全ての光変調装置を効果的に冷却できる。
【０００９】
本発明のプロジェクターでは、前記複数の光変調装置にて変調された各色光が入射する複数の光入射面を有し、前記各色光を合成する色合成光学装置を備え、前記第２ダクト部は、前記複数の光入射面に交差する端面に対向するように設けられていることが好ましい。
ところで、色合成光学装置において、複数の光入射面に交差する端面側（色合成光学装置の上方側または下方側）は、色合成光学装置と投射レンズとのサイズの関係（投射レンズの方が大きい）上、他の部材が配設されないデッドスペースになりやすいものである。
本発明では、第２ダクト部が色合成光学装置における複数の光入射面に交差する端面に対向するように設けられているため、第２ダクト部を上述したデッドスペースに配設できる。このため、上述したダクトをプロジェクター内部に配設した場合であっても、他の部材に機械的に干渉することがなく、他の部材のレイアウトを変更する必要がない。特に、上述したデッドスペースに配設することで、プロジェクターの薄型化を阻害することがない。
【００１０】
本発明のプロジェクターでは、前記複数の光変調装置は、赤色光を変調する赤側光変調装置と、緑色光を変調する緑側光変調装置と、青色光を変調する青側光変調装置とを備え、前記第１ダクト部は、前記緑側光変調装置及び前記青側光変調装置に空気を流通させ、前記第２ダクト部は、前記赤側光変調装置に空気を導くことが好ましい。
本発明では、第１ダクト部を流通する空気により緑側光変調装置及び青側光変調装置を冷却し、第２ダクト部を介して送風される空気により赤側光変調装置を冷却する。
例えば、第２ダクト部を流通する空気の風量に対して第１ダクト部を流通する空気の風量が多くなるように構成する。
このように構成することで、発熱量が少ないため少ない風量でも十分に冷却できる赤側光変調装置については第２ダクト部から送風される少ない風量の空気にて冷却できる。また、発熱量が多いため多くの風量を必要とする緑側光変調装置及び青側光変調装置については第１ダクト部を流通する風量の多い空気にて冷却できる。
したがって、各光変調装置の発熱量に応じて、３つの光変調装置を効率的に冷却できる。
【００１１】
本発明のプロジェクターでは、前記緑側光変調装置及び前記青側光変調装置は、前記第１ダクト部における流路上流側から前記青側光変調装置、前記緑側光変調装置の順に配設されていることが好ましい。
ところで、一般的には、緑側光変調装置の発熱量は、青側光変調装置の発熱量に対して多いものである。しかしながら、青側光変調装置において、冷却することで到達させる目標温度は、緑側光変調装置における目標温度よりも低くなるように設定されるものである。
本発明では、第１ダクト部における流路上流側に青側光変調装置が配設され、流路下流側に緑側光変調装置が配設されている。
このことにより、比較的に温度の低い空気（光変調装置にて温められていない空気）にて低い目標温度の青側光変調装置を冷却することで、青側光変調装置を目標温度に近付けることができる。また、青側光変調装置よりも目標温度の高い緑側光変調装置については、青側光変調装置を介した空気にて冷却することで、緑側光変調装置についても目標温度に近付けることができる。
したがって、青側光変調装置及び緑側光変調装置を効率的に冷却できる。
【００１２】
本発明のプロジェクターでは、前記第２ダクト部は、前記第２ダクト部における流路下流側が分岐し、前記他の光変調装置に空気を導く第１分岐ダクト部、及び前記２つの光変調装置のうち前記第１ダクト部における流路下流側の前記光変調装置に空気を導く第２分岐ダクト部を備えることが好ましい。
本発明では、第２ダクト部が上述した第１分岐ダクト部及び第２分岐ダクト部を備えるので、第１ダクト部を流通する空気、及び第２分岐ダクト部を介して送風される空気の双方により、第１ダクト部における流路下流側に配設される光変調装置を冷却できる。
例えば、第１ダクト部における流路下流側に上述した緑側光変調装置を配設した場合には、緑側光変調装置は冷却に多くの風量を必要とするため、第２ダクト部を上述した構成とすることで、緑側光変調装置を効果的に冷却できる。
【００１３】
本発明のプロジェクターでは、前記２つの光変調装置のうち前記第１ダクト部における流路下流側の前記光変調装置と前記他の光変調装置とを区画する遮蔽板を備えることが好ましい。
本発明では、上述した遮蔽板を備えるので、第１ダクト部を流通した後の空気、すなわち、第１ダクト部に配設された２つの光変調装置を冷却した後の温度の高い空気が、他の光変調装置側に回り込むことを防止できる。このため、第１ダクト部を流通した後の温度の高い空気による他の光変調装置の温度上昇を回避し、第２ダクト部を介した空気にて他の光変調装置を効果的に冷却できる。
【００１４】
本発明のプロジェクターでは、前記第２ダクト部は、前記第２ダクト部を介して前記他の光変調装置に送風される空気の流通方向が前記第１ダクト部を介して前記２つの光変調装置を流通した後の空気の流通方向に交差するように設けられていることが好ましい。
本発明では、第２ダクト部が上述したように設けられているので、第２ダクト部を介して送風される空気により、第１ダクト部を流通した後の温度の高い空気が他の光変調装置側に回り込むことを防止できる。このため、第１ダクト部を流通した後の温度の高い空気による他の光変調装置の温度上昇を回避し、第２ダクト部を介した空気にて他の光変調装置を効果的に冷却できる。
【００１５】
本発明のプロジェクターでは、前記第２ダクト部における前記第１ダクト部に連通する連通口は、当該プロジェクターの厚み方向からの平面視で、前記２つの光変調装置のうち前記第１ダクト部における流路上流側の前記光変調装置に一部が重なり合うように形成されていることが好ましい。
本発明では、連通口が上述した位置に形成されているので、連通口を介して、第１ダクト部に配設された２つの光変調装置にて温められる前の空気を第２ダクト部に導入することができる。したがって、比較的に低い温度の空気を他の光変調装置に送風することができ、他の光変調装置を効果的に冷却できる。
また、連通口を上述した位置に形成することで、第２ダクト部を上述したデッドスペース（色合成光学装置の上方側または下方側）に配設しやすい構成となる。このため、他の部材のレイアウトを変更する必要がなく、また、プロジェクターの薄型化を阻害することもない。
【図面の簡単な説明】
【００１６】
【図１】第１実施形態におけるプロジェクターの内部構成を模式的に示す平面図。
【図２】第１実施形態における冷却装置の構成を模式的に示す図。
【図３】第１実施形態における冷却装置の構成を模式的に示す図。
【図４】第１実施形態におけるダクトの構成を模式的に示す図。
【図５】第１実施形態におけるダクトの流路を説明するための図。
【図６】第１実施形態におけるダクトの流路を説明するための図。
【図７】第２実施形態におけるダクトの構成を模式的に示す図。
【図８】第２実施形態におけるダクトの流路を説明するための図。
【図９】第３実施形態におけるダクトの構成を模式的に示す図。
【図１０】第３実施形態におけるダクトの流路を説明するための図。
【発明を実施するための形態】
【００１７】
[第１実施形態]
以下、本発明の第１実施形態を図面に基づいて説明する。
〔プロジェクターの構成〕
図１は、プロジェクター１の内部構成を模式的に示す平面図である。
なお、以下では、説明の便宜上、後述する投射レンズ３６が配置される側を「前面」とし、その反対側を「背面」とする。
プロジェクター１は、画像情報に応じて光束を変調してスクリーン（図示略）上に投射する。このプロジェクター１は、図１に示すように、外装を構成する外装筐体２と、外装筐体２内部に配設される光学ユニット３及び冷却装置４（図１では一部の構成部材（冷却ファン５）のみを図示）とを備える。
【００１８】
〔外装筐体の構成〕
外装筐体２は、図１に示すように、天面部（図示略）及び底面部２１と、側面部２２〜２５（以下、前面側の側面部を前面部２２、背面側の側面部を背面部２３）とを備え、略直方体形状を有する。
【００１９】
〔光学ユニットの構成〕
光学ユニット３は、画像情報（画像信号）に応じて変調して投射するものであり、図１に示すように、背面部２３に沿って延出するとともに、一端側が前面部２２に向けて延出する平面視略Ｌ字形状を有する。
この光学ユニット３は、図１に示すように、光源ランプ３１１及びリフレクター３１２を有する光源装置３１と、レンズアレイ３２１，３２２、偏光変換素子３２３、及び重畳レンズ３２４を有する照明光学装置３２と、ダイクロイックミラー３３１，３３２、及び反射ミラー３３３を有する色分離光学装置３３と、入射側レンズ３４１、リレーレンズ３４３、及び反射ミラー３４２，３４４を有するリレー光学装置３４と、光変調装置としての３つの液晶パネル３５１、３つの入射側偏光板３５２、３つの出射側偏光板３５３、及び色合成光学装置としてのクロスダイクロイックプリズム３５４を有する光学装置３５と、投射光学装置としての投射レンズ３６と、これら各部材３１〜３５を内部に収納するとともに投射レンズ３６を支持する光学部品用筐体３７とを備える。
【００２０】
そして、光学ユニット３では、上述した構成により、光源装置３１から出射され照明光学装置３２を介した光束は、色分離光学装置３３にてＲ，Ｇ，Ｂの３つの色光に分離される。また、分離された各色光は、各液晶パネル３５１にて画像情報に応じてそれぞれ変調される。変調された各色光は、プリズム３５４にて合成されて、投射レンズ３６にてスクリーンに投射される。
なお、図１では、説明の便宜上、Ｒ色光側の液晶パネル３５１、入射側偏光板３５２、及び出射側偏光板３５３をＲ側部材３５０Ｒとし、Ｇ色光側及びＢ色光側も同様にＧ側部材３５０Ｇ及びＢ側部材３５０Ｂとしている。以降の図も同様である。
また、図１では、Ｒ，Ｇ，Ｂの各色光側の各液晶パネル３５１をそれぞれ液晶パネル３５１Ｒ（赤側光変調装置），３５１Ｇ（緑側光変調装置），３５１Ｂ（青側光変調装置）としている。以降の図も同様である。
【００２１】
〔冷却装置の構成〕
図２または図３は、冷却装置４の構成を模式的に示す図である。具体的に、図２は冷却装置４を背面上方側（外装筐体２の天面部側）から見た斜視図であり、図３は図２においてダクト６の蓋体９２を取り外した図である。
冷却装置４は、図１に示すように、投射レンズ３６に近接して設けられ、光学装置３５に空気を送風して冷却する。この冷却装置４は、図１ないし図３に示すように、冷却ファン５と、ダクト６（図２、図３）とを備える。
【００２２】
〔冷却ファンの構成〕
冷却ファン５は、ファン回転方向に対して前向きに曲がった複数の羽根を有する、所謂、シロッコファンで構成され、投射レンズ３６に対して前面側から見て右側方に配設されている。
より具体的に、冷却ファン５は、図２または図３に示すように、空気を吸入する吸入口５１が上方側に向き、空気を吐出する吐出口５２が前面側から見て左斜め後方（Ｂ側部材３５０Ｂの前面側）に向くように配設されている。
【００２３】
〔ダクトの構成〕
図４は、ダクト６の構成を模式的に示す図である。具体的に、図４は、ダクト６を背面下方側（底面部２１側）から見た斜視図である。
ダクト６は、冷却ファン５から吐出された空気を各部材３５０Ｒ，３５０Ｇ，３５０Ｂに送風する。このダクト６は、図２ないし図４に示すように、第１ダクト部としてのメインダクト部７Ａと、第２ダクト部としての補助ダクト部７Ｂとを備える。
【００２４】
〔メインダクト部の構成〕
メインダクト部７Ａは、図２ないし図４に示すように、導入側ダクト部８と、主流路形成部９とを備える。
導入側ダクト部８は、筒形状を有し、図２ないし図４に示すように、一端（ダクト６内部に空気を導入させるための導入口）が冷却ファン５の吐出口５２に接続し、吐出口５２からの空気の吐出方向に沿って延出するように形成されている。そして、導入側ダクト部８は、他端が主流路形成部９に接続し、主流路形成部９内部に連通する。
【００２５】
主流路形成部９は、冷却ファン５から吐出され導入側ダクト部８を介した空気を、Ｂ側部材３５０Ｂ、Ｇ側部材３５０Ｇの順に流通させる。この主流路形成部９は、図２ないし図４に示すように、本体部９１と、蓋体９２（図２、図４）とを備える。
本体部９１は、図２ないし図４に示すように、内周壁９１Ａ（図３、図４）、外周壁９１Ｂ、及び底壁９１Ｃを有する容器状に形成されている。
内周壁９１Ａは、プリズム３５４におけるＲ，Ｇ，Ｂの各色光が入射する各光入射面３５４Ｒ，３５４Ｇ，３５４Ｂ（図１、図３）を囲む平面視略Ｕ字形状を有する。
この内周壁９１Ａには、各部材３５０Ｒ，３５０Ｇ，３５０Ｂを介した各Ｒ，Ｇ，Ｂの各色光をプリズム３５４に入射させるための３つの開口部９１１（図４参照、図４ではＲ色光側の開口部９１１のみ図示）が形成されている。
そして、内周壁９１Ａには、図２または図３に示すように、各光入射面３５４Ｒ，３５４Ｇ，３５４Ｂにそれぞれ対向するように、液晶パネル３５１及び出射側偏光板３５３が支持部材３５５を介してそれぞれ取り付けられる。
【００２６】
また、内周壁９１Ａにおける前面側の端部同士は、プリズム３５４における合成された画像が出射される光出射面３５４Ｅ（図１、図３）を覆うように接続壁９１Ｄ（図３、図４）により接続されている。
この接続壁９１Ｄには、プリズム３５４にて合成され光を通過させるための開口部９１３（図５参照）が形成されている。
この接続壁９１Ｄは、プリズム３５４にて合成された光のみを開口部９１３を介して通過させ、不要な光（漏れ光）を遮光して投射レンズ３６に入射することを防止する機能を有している。
【００２７】
外周壁９１Ｂは、内周壁９１Ａに対してＧ，Ｂの各色光の入射側に位置し、内周壁９１Ａに略平行となる平面視略Ｌ字形状を有する。
この外周壁９１Ｂには、各入射側偏光板３５２を介したＧ，Ｂの各色光を通過させるための２つの開口部９１２（図４参照、図４ではＧ色光側の開口部９１２のみ図示）が形成されている。
そして、外周壁９１Ｂには、図２または図３に示すように、２つの入射側偏光板３５２が各偏光板保持部材３５６Ｇ，３５６Ｂを介して２つの開口部９１２を閉塞するようにそれぞれ配設されている。
【００２８】
ここで、各偏光板保持部材３５６Ｇ，３５６Ｂは、図２または図３に示すように、同様に構成されている。以下では、偏光板保持部材３５６Ｇについてのみ説明する。
偏光板保持部材３５６Ｇは、中央に開口部３５６１を有する板体で構成されている。そして、入射側偏光板３５２は、開口部３５６１を閉塞するように偏光板保持部材３５６Ｇに取り付けられる。
この偏光板保持部材３５６Ｇにおいて、上方側の端部には、図２または図３に示すように、光入射側に折り曲げられ、上方に向けて凸となる湾曲形状を有する位置調整部３５６２が設けられている。
より具体的に、位置調整部３５６２は、入射側偏光板３５２に入射する色光の光軸を中心とする円弧状となるように湾曲されている。
この位置調整部３５６２は、具体的な図示は省略したが、光学部品用筐体３７の上面に設けられた調整受け部上に摺動可能に載置される。そして、入射側偏光板３５２は、前記調整受け部上で位置調整部３５６２が摺動することで、入射する色光の光軸を中心として回転する。すなわち、偏光板保持部材３５６Ｇは、入射側偏光板３５２を保持する機能の他、入射側偏光板３５２の位置を調整する機能も有する。
【００２９】
また、Ｒ色光側の偏光板保持部材３５６Ｒは、図２または図３に示すように、上述した各偏光板保持部材３５６Ｇ，３５６Ｂと略同様の構成を有するが、以下の点が異なる。
すなわち、偏光板保持部材３５６Ｒにおいて、Ｒ色光の入射側から見て左側の端部には、図２または図３に示すように、光出射側に折り曲げられた遮蔽板としての略矩形状の遮蔽部３５６３が形成されている。
このため、偏光板保持部材３５６Ｒを配設した状態では、遮蔽部３５６３により、液晶パネル３５１Ｇ（Ｇ側部材３５０Ｇ）と液晶パネル３５１Ｒ（Ｒ側部材３５０Ｒ）とが区画されることとなる。
【００３０】
底壁９１Ｃは、図４に示すように、内周壁９１Ａ及び外周壁９１Ｂの下方側の各端部同士を接続するとともに、底面部２１に沿って水平方向に延出し、プリズム３５４の下方側を閉塞するように形成されている。
【００３１】
〔補助ダクト部の構成〕
補助ダクト部７Ｂは、図４に示すように、底壁９１Ｃの外面に取り付けられ、メインダクト部７Ａ内部の流路Ｃ２（図５参照）を流通する空気の一部をＲ側部材３５０Ｒに導く。
この補助ダクト部７Ｂは、中空部材で構成され、一端７Ｂ１（図４）から他端７Ｂ２（図４）に向けて底壁９１Ｃの外面に沿って延出するように形成されている。
より具体的に、一端７Ｂ１は、鉛直方向からの平面視で、Ｂ側部材３５０Ｂの前面側の端部位置に位置付けられる。また、補助ダクト部７Ｂは、鉛直方向からの平面視で、一端７Ｂ１からプリズム３５４の略中心位置に向けて延出し、さらに光入射面３５４Ｒに直交する方向に沿って直線状に延出する。そして、他端７Ｂ２は、鉛直方向からの平面視で、Ｒ側部材３５０Ｒの前後方向（前面から背面への方向）の略中心位置に位置付けられる。
【００３２】
上述した補助ダクト部７Ｂにおいて、一端７Ｂ１側の上面部分は、図４に示すように、メインダクト部７Ａ内部（流路Ｃ２）と連通口７Ｃを介して連通する。
この連通口７Ｃは、鉛直方向からの平面視で、斜辺が冷却ファン５からの吐出方向に沿い、他の各辺が光入射面３５４Ｂ及び光出射面３５４Ｅに略平行する略直角三角形状を有する（図５参照）。
また、連通口７Ｃは、鉛直方向からの平面視で、液晶パネル３５１Ｂに一部が重なり合う位置に設けられている（図５参照）。
さらに、補助ダクト部７Ｂにおいて、他端７Ｂ２側の上面部分には、図４に示すように、連通口７Ｃを介して導入した空気を外部に排出するための排出口７Ｂ３が形成されている。
【００３３】
〔ダクトの流路〕
図５及び図６は、ダクト６の流路を説明するための図である。具体的に、図５は内周壁９１Ａや外周壁９１Ｂを通る水平面でダクト６を切断した断面を上方側から見た図であり、図６は補助ダクト部７Ｂを通る鉛直面でダクト６を切断した断面を前面側から見た図である。
なお、図５及び図６では、説明の便宜上、光学装置３５を構成する各出射側偏光板３５３及び各支持部材３５５の図示を省略している。
次に、上述したダクト６の流路について説明する。
先ず、メインダクト部７Ａ内部には、本体部９１の上方側が蓋体９２により閉塞されることで、図５に示すように、流路Ｃ１，Ｃ２が形成される。
すなわち、冷却ファン５から吐出された空気は、導入側ダクト部８内部の流路Ｃ１に沿って流通し、メインダクト部７Ａ内部に導入され、液晶パネル３５１Ｂの側方（前面側の端部）に送風される。
そして、メインダクト部７Ａ内部に導入された空気は、平面視Ｌ字状の流路Ｃ２に沿って、各部材３５０Ｂ，３５０Ｇの側方から、Ｂ側部材３５０Ｂ、Ｇ側部材３５０Ｇの順に流通する。流路Ｃ２を辿る空気は、各液晶パネル３５１Ｂ，３５１Ｇの光入射側及び光出射側を流通し、各部材３５０Ｂ，３５０Ｇを冷却する。
【００３４】
また、補助ダクト部７Ｂは、連通口７Ｃを介して流路Ｃ２と連通することで、図５または図６に示すように、内部に流路Ｃ３が形成される。
すなわち、メインダクト部７Ａ内部に導入され、流路Ｃ２を辿る空気の一部は、図５または図６に示すように、連通口７Ｃを介して流路Ｃ３に分岐され、Ｒ側部材３５０Ｒの下方側に導かれ、排出口７Ｂ３から補助ダクト部７Ｂ外部に排出される。
そして、補助ダクト部７Ｂ外部に排出された空気は、液晶パネル３５１Ｒの下方側端部に送風され、下方側から上方側に向けて、液晶パネル３５１Ｒの光入射側及び光出射側を流通し、Ｒ側部材３５０Ｒを冷却する。
【００３５】
上述した第１実施形態によれば、以下の効果がある。
本実施形態では、各部材３５０Ｒ，３５０Ｇ，３５０Ｂに空気を導くダクト６は、２つの液晶パネル３５１Ｂ，３５１Ｇの側方から順に空気を流通させるメインダクト部７Ａを備える。
このことにより、従来のダクトと比較して、メインダクト部７Ａの流路長さを短くできるとともに、メインダクト部７Ａに配設される液晶パネル３５１の数も少なくなるので、メインダクト部７Ａ内部の静圧を低下させることができる。このため、冷却ファン５からメインダクト部７Ａに吐出される空気の風量を十分に確保することができ、流路Ｃ１，Ｃ２を辿る空気により各部材３５０Ｇ，３５０Ｂを効果的に冷却できる。
【００３６】
また、ダクト６は、メインダクト部７Ａの他、メインダクト部７Ａから分岐され、流路Ｃ２を辿る空気の一部をＲ側部材３５０Ｒに導く補助ダクト部７Ｂを備える。
このことにより、補助ダクト部７Ｂを介した空気をＲ側部材３５０Ｒに送風することができ、Ｒ側部材３５０Ｒも効果的に冷却できる。
以上のように、メインダクト部７Ａ及び補助ダクト部７Ｂに空気を流通させることで、全ての部材３５０Ｒ，３５０Ｇ，３５０Ｂを効果的に冷却できる。
【００３７】
また、補助ダクト部７Ｂがプリズム３５４の下方側に設けられているため、補助ダクト部７Ｂをデッドスペースに配設できる。このため、ダクト６をプロジェクター１内部に配設した場合であっても、他の部材に機械的に干渉することがなく、他の部材のレイアウトを変更する必要がない。特に、デッドスペースに補助ダクト部７Ｂを配設することで、プロジェクター１の薄型化を阻害することがない。
【００３８】
本実施形態では、メインダクト部７Ａ及び補助ダクト部７Ｂの構成により、メインダクト部７Ａを流通する空気の風量は、補助ダクト部７Ｂを流通する空気の風量に対して多い。
そして、メインダクト部７ＡにＧ側部材３５０Ｇ及びＢ側部材３５０Ｂが配設され、補助ダクト部７Ｂから送風される空気によりＲ側部材３５０Ｒを冷却している。
このことにより、発熱量が少ないため少ない風量でも十分に冷却できるＲ側部材３５０Ｒについては補助ダクト部７Ｂから送風される少ない風量の空気にて冷却できる。また、発熱量が多いため多くの風量を必要とする各部材３５０Ｂ，３５０Ｇについてはメインダクト部７Ａを流通する風量の多い空気にて冷却できる。
したがって、各部材３５０Ｒ，３５０Ｇ，３５０Ｂの発熱量に応じて、各部材３５０Ｒ，３５０Ｇ，３５０Ｂを効率的に冷却できる。
【００３９】
また、メインダクト部７Ａにおいて、流路Ｃ２の上流側にＢ側部材３５０Ｂが配設され、下流側にＧ側部材３５０Ｇが配設されている。
このことにより、比較的に温度の低い空気（各部材３５０Ｂ，３５０Ｇにて温められていない空気）にて低い目標温度の液晶パネル３５１Ｂ（Ｂ側部材３５０Ｂ）を冷却することで、液晶パネル３５１Ｂを目標温度に近付けることができる。また、液晶パネル３５１Ｂよりも目標温度の高い液晶パネル３５１Ｇ（Ｇ側部材３５０Ｇ）については、Ｂ側部材３５０Ｂを介した空気にて冷却することで、液晶パネル３５１Ｇについても目標温度に近付けることができる。
したがって、Ｇ側部材３５０Ｇ及びＢ側部材３５０Ｂを効率的に冷却できる。
【００４０】
さらに、偏光板保持部材３５６Ｒが遮蔽部３５６３を備えるので、メインダクト部７Ａを流通した後の空気、すなわち、Ｇ側部材３５０Ｇ及びＢ側部材３５０Ｂを冷却した後の温度の高い空気が、Ｒ側部材３５０Ｒ側に回り込むことを防止できる。このため、メインダクト部７Ａを流通した後の温度の高い空気によるＲ側部材３５０Ｒの温度上昇を回避し、補助ダクト部７Ｂを介した空気にてＲ側部材３５０Ｒを効果的に冷却できる。
【００４１】
また、連通口７Ｃは鉛直方向からの平面視で液晶パネル３５１Ｂに一部が重なり合う位置に形成されているので、連通口７Ｃを介して、各部材３５０Ｇ，３５０Ｂにて温められる前の空気を補助ダクト部７Ｂに導入することができる。したがって、比較的に低い温度の空気をＲ側部材３５０Ｒに送風することができ、Ｒ側部材３５０Ｒを効果的に冷却できる。
さらに、連通口７Ｃを上述した位置に形成することで、補助ダクト部７Ｂを上述したデッドスペース（プリズム３５４の下方側）に配設しやすい構成となる。このため、他の部材のレイアウトを変更する必要がなく、また、プロジェクター１の薄型化を阻害することもない。
【００４２】
[第２実施形態]
次に、本発明の第２実施形態を図面に基づいて説明する。
以下の説明では、前記第１実施形態と同様の構造及び同一部材には同一符号を付し、その詳細な説明は省略または簡略化する。
図７は、第２実施形態におけるダクト６の構成を模式的に示す図である。具体的に、図７は、ダクト６を背面下方側から見た斜視図である。
本実施形態は、前記第１実施形態に対して、補助ダクト部７Ｂの構成が異なるのみである。その他の構成は、前記第１実施形態と同様のものである。
具体的に、第２実施形態における補助ダクト部７Ｂは、図７に示すように、一端７Ｂ１側から他端側に向けて２つに分岐し、第１分岐ダクト部１１と、第２分岐ダクト部１２とを備える。
【００４３】
第１分岐ダクト部１１は、図７に示すように、前記第１実施形態で説明した他端７Ｂ２側と同様の構成であり、排出口７Ｂ３（以下、第１排出口７Ｂ３）を有する。
第２分岐ダクト部１２は、図７に示すように、鉛直方向からの平面視で、一端７Ｂ１からＧ側部材３５０Ｇの配設位置における左右方向（前面側から見て左右方向）の略中心位置まで略直線状に延びるように形成されている。
そして、上述した第２分岐ダクト部１２において、先端側の上面部分は、図７に示すように、メインダクト部７Ａ内部（流路Ｃ２）と第２排出口７Ｂ４を介して連通する。
この第２排出口７Ｂ４は、鉛直方向からの平面視で、液晶パネル３５１Ｇにおける左右方向（前面側から見て左右方向）の略中心位置に位置するように形成されている。
【００４４】
次に、第２実施形態におけるダクト６の流路について説明する。
図８は、第２実施形態におけるダクト６の流路を説明するための図である。具体的に、図８は、内周壁９１Ａや外周壁９１Ｂを通る水平面でダクト６を切断した断面を上方側型見た図である。
なお、以下では、前記第１実施形態で説明したダクト６の流路と異なる部分のみを説明する。
連通口７Ｃを介して空気を補助ダクト部７Ｂに流入させる流路Ｃ３は、上述した各分岐ダクト部１１，１２により、２つの流路Ｃ３１，Ｃ３２に分岐される。
流路Ｃ３１を辿る空気は、前記第１実施形態と同様に、図８に示すように、Ｒ側部材３５０Ｒの下方側端部に導かれ、第１排出口７Ｂ３を介して液晶パネル３５１Ｒの下方側端部に送風される。
【００４５】
一方、流路Ｃ３２を辿る空気は、図８に示すように、液晶パネル３５１Ｇの下方側に導かれ、第２排出口７Ｂ４を介して流路Ｃ２に流入する。
そして、流路Ｃ２に流入した空気は、液晶パネル３５１Ｇの下方側端部に送風され、下方側から上方側に向けて、液晶パネル３５１Ｇの光入射側及び光出射側を流通し、Ｇ側部材３５０Ｇを冷却する。
ここで、流路Ｃ３２は、上述した第２分岐ダクト部１２の形状により、鉛直方向からの平面視で、図８に示すように、流入先である流路Ｃ２と鋭角を成して交差するように形成されている。したがって、流路Ｃ３２を辿り、第２排出口７Ｂ４を介して補助ダクト部７Ｂ外部に排出される空気は、円滑に流路Ｃ２に流入することとなる。
【００４６】
上述した第２実施形態によれば、前記第１実施形態と同様の効果の他、以下の効果がある。
本実施形態では、補助ダクト部７Ｂが各分岐ダクト部１１，１２を備えるので、メインダクト部７Ａを流通する空気、及び第２分岐ダクト部１２を介して送風される空気の双方により、Ｇ側部材３５０Ｇを冷却できる。
特に、Ｇ側部材３５０Ｇは、冷却に多くの風量を必要とするため、補助ダクト部７Ｂを上述した構成とすることで、Ｇ側部材３５０Ｇを効果的に冷却できる。
【００４７】
[第３実施形態]
次に、本発明の第３実施形態を図面に基づいて説明する。
以下の説明では、前記第１実施形態と同様の構造及び同一部材には同一符号を付し、その詳細な説明は省略または簡略化する。
図９は、第３実施形態におけるダクト６の構成を模式的に示す図である。具体的に、図９は、ダクト６を背面下方側から見た斜視図である。
本実施形態では、前記第１実施形態に対して、偏光板保持部材３５６Ｒの構成、及び補助ダクト部７Ｂの形状が異なるのみである。その他の構成は、前記第１実施形態と同様のものである。
具体的に、第３実施形態における偏光板保持部材３５６Ｒは、遮蔽部３５６３が省略されている（図１０参照）。
また、第３実施形態における補助ダクト部７Ｂは、鉛直方向からの平面視で、一端７Ｂ１から光入射面３５４Ｒに直交する方向に沿って直線状に延出し、他端７Ｂ２側が背面側に延出するように形成されている（図１０参照）。
そして、他端７Ｂ２側に形成された排出口７Ｂ３は、鉛直方向からの平面視で、Ｒ側部材３５０Ｒの前面側に位置付けられている（図１０参照）。
【００４８】
次に、第３実施形態におけるダクト６の流路について説明する。
図１０は、第３実施形態におけるダクト６の流路を説明するための図である。具体的に、図１０は、内周壁９１Ａや外周壁９１Ｂを通る水平面でダクト６を切断した断面を上方側から見た図である。
なお、以下では、前記第１実施形態で説明したダクト６の流路とは異なる部分のみを説明する。
流路Ｃ３を辿る空気は、図１０に示すように、Ｒ側部材３５０Ｒの下方側端部に導かれ、排出口７Ｂ３を介して液晶パネル３５１Ｒの下方側端部に送風される。
そして、液晶パネル３５１Ｒの下方側端部に送風された空気は、上述した補助ダクト部７Ｂの他端７Ｂ２側の屈曲した形状により、下方側から上方側にかけて、前面側から背面側に向うように、液晶パネル３５１Ｒの光入射側及び光出射側を流通し、Ｒ側部材３５０Ｒを冷却する。
すなわち、流路Ｃ３を介して液晶パネル３５１Ｒに送風された空気の流通方向Ｄ１は、図１０に示すように、流路Ｃ２を介した後の空気の流通方向Ｄ２に交差することとなる。
【００４９】
上述した第３実施形態によれば、前記第１実施形態と同様の効果の他、以下の効果がある。
本実施形態では、補助ダクト部７Ｂは、流路Ｃ３を介して液晶パネル３５１Ｒに送風された空気の流通方向Ｄ１がメインダクト部７Ａを介した後の空気の流通方向Ｄ２に交差するように設けられている。
このことにより、補助ダクト部７Ｂを介して送風される空気により、メインダクト部７Ａを流通した後の温度の高い空気がＲ側部材３５０Ｒ側に回り込むことを防止できる。このため、メインダクト部７Ａを流通した後の温度の高い空気によるＲ側部材３５０Ｒの温度上昇を回避し、補助ダクト部７Ｂを介した空気にてＲ側部材３５０Ｒを効果的に冷却できる。
したがって、偏光板保持部材３５６Ｒに遮蔽部３５６３を設ける必要がなく、偏光板保持部材３５６Ｒの形状の簡素化が図れる。
【００５０】
なお、本発明は前述の実施形態に限定されるものではなく、本発明の目的を達成できる範囲での変形、改良等は本発明に含まれるものである。
前記各実施形態では、冷却ファン５として、シロッコファンを採用していたが、これに限らず、ファン回転方向に対して後向きに曲がった複数の羽根を有するターボファンや、ファン回転軸に沿って空気を吸入及び吐出する軸流ファンを採用しても構わない。
前記各実施形態では、補助ダクト部７Ｂは、プリズム３５４の下方側に配設されていたが、これに限らず、プリズム３５４の上方側に配設しても構わない。
【００５１】
前記各実施形態では、メインダクト部７Ａにおいて、流路Ｃ２の上流側からＢ側部材３５０Ｂ、Ｇ側部材３５０Ｇの順に配設されていたが、これに限らず、Ｇ側部材３５０Ｇ、Ｂ側部材３５０Ｂの順に配設しても構わない。
前記各実施形態では、本発明に係る遮蔽板を偏光板保持部材３５６Ｒに設けていたが、これに限らず、その他の部材、例えば、Ｒ色光側の支持部材３５５や、光学部品用筐体３７に設けても構わない。
前記各実施形態において、連通口７Ｃの形成位置は、前記各実施形態で説明した位置に限らず、いずれの位置に形成しても構わない。なお、Ｒ側部材３５０Ｒの冷却効率を考慮した場合には、Ｂ側部材３５０Ｂと冷却ファン５との間の流路Ｃ１，Ｃ２に連通するように構成することが好ましい。
【００５２】
前記各実施形態では、各部材３５０Ｒ，３５０Ｇ，３５０Ｂから出射されたＲ，Ｇ，Ｂの各色光を合成する構成としてクロスダイクロイックプリズム３５４を採用していたが、これに限らず、複数のダイクロイックミラーを用いた構成としても構わない。
前記各実施形態において、プロジェクター１は、３つの液晶パネル３５１を備える構成としたが、本発明はこれに限らない。すなわち、２つ、あるいは、４つ以上の液晶パネルを用いたプロジェクターにも、本発明を適用可能である。
前記各実施形態において、光変調装置としては、透過型の液晶パネルの他、反射型の液晶パネルを採用しても構わない。
前記実施形態では、フロント投射型のプロジェクターの例のみを挙げたが、本発明は、スクリーンを備え、該スクリーンの裏面側から投射を行うリアタイプのプロジェクターにも適用可能である。
【産業上の利用可能性】
【００５３】
本発明は、プレゼンテーションやホームシアター等に用いられるプロジェクターに利用できる。
【符号の説明】
【００５４】
１・・・プロジェクター、４・・・冷却装置、５・・・冷却ファン、６・・・ダクト、７Ａ・・・メインダクト部（第１ダクト部）、７Ｂ・・・補助ダクト部（第２ダクト部）、７Ｃ・・・連通口、１１・・・第１分岐ダクト部、１２・・・第２分岐ダクト部、３５１Ｒ・・・液晶パネル（赤側光変調装置）、３５１Ｇ・・・液晶パネル（緑側光変調装置）、３５１Ｂ・・・液晶パネル（青側光変調装置）、３５４・・・クロスダイクロイックプリズム（色合成光学装置）、３５４Ｒ，３５４Ｇ，３５４Ｂ・・・光入射面、３５６３・・・遮蔽部（遮蔽板）、Ｃ１〜Ｃ３，Ｃ３１，Ｃ３２・・・流路、Ｄ１，Ｄ２・・・流通方向。
【図１】
0005407982.tif 000002
【図２】
0005407982.tif 000003
【図３】
0005407982.tif 000004
【図４】
0005407982.tif 000005
【図５】
0005407982.tif 000006
【図６】
0005407982.tif 000007
【図７】
0005407982.tif 000008
【図８】
0005407982.tif 000009
【図９】
0005407982.tif 000010
【図１０】
0005407982.tif 000011